【手続補正書】
【提出日】平成17年6月29日(2005.6.29)
【手続補正１】
【補正対象書類名】明細書
【補正対象項目名】全文
【補正方法】変更
【補正の内容】
【書類名】        明細書
【発明の名称】  断熱サッシ
【特許請求の範囲】
【請求項１】
サッシ枠（Ｆ）は左縦枠材（３）と右縦枠材（４）の間に方立（５）を備え、方立（５）と左右縦枠材（３，４）の一方との間に、戸（８）を開閉自在に設けた出入口部（Ｄ）を備え、方立（５）と左右縦枠材（３，４）の他方との間に、パネル（９）を固定した袖部（Ｅ）を備え、方立（５）を構成する室内側方立部材（５Ａ）と、縦枠材（３，４）を構成する室内側縦部材（３Ａ，４Ａ）の袖部（Ｅ）側に、パネル（９）の室内面に固定する取付部材（６）を夫々備えていることを特徴とする断熱サッシ。
【請求項２】
方立（５）の室内側方立部材（５Ａ）に、出入口部（Ｄ）側と袖部（Ｅ）側とに向けて突出する方立持出部（５ａ，５ｂ）を設け、サッシ枠（Ｆ）を構成する室内側枠部材（１Ａ，２Ａ，３Ａ，４Ａ）に、方立持出部（５ａ，５ｂ）に対応する枠部持出部（１ａ，２ａ，３ａ，４ａ）を設け、方立持出部（５ａ，５ｂ）と枠部持出部（１ａ，２ａ，３ａ，４ａ）は、出入口部（Ｄ）側に戸（８）の室内面に当接する気密材（Ｓ）を、袖部（Ｅ）側にパネル（９）の室内面に当接する気密材（Ｓ）を備え、袖部（Ｅ）側の方立持出部（５ｂ）と縦枠部持出部（４ａ）とに取付部材（６）を取付けていることを特徴とする請求項１記載の断熱サッシ。
【発明の詳細な説明】
【０００１】
【発明の属する技術分野】
この発明は、主に玄関に設ける断熱サッシに関するものである。
【０００２】
【従来の技術】
出入口部と袖部とを備えた断熱玄関サッシの内、袖部にパネルを嵌殺しに取付け、出入口部の縦枠材、又は方立に戸を開閉可能に軸支するドアタイプの断熱玄関サッシにあっては、出入口部側の縦枠材と袖部側の縦枠材とでは形状が異なるので、別々に形成していた。また出入口部と袖部の間に設ける方立の形状も、袖部を出入口部の左側に設ける場合と、右側に設ける場合とでは異なるので、二様の方立を形成し、目的に合わせて縦枠材と方立を選択し、玄関サッシのサッシ枠を組立ていた。
【０００３】
【発明が解決しようとする課題】
左右の縦枠材を別々に形成したり、二様の方立を形成すると、サッシ枠の組立時に、枠材を選択して組立てなけらばならない面倒があるし、縦枠材と方立を二様に形成する分、サッシ枠の価格が高価になる問題点があった。そこでこの発明は、従来技術の有するこのような問題点に鑑みてなされたものであり、その目的とするところは、左右の縦枠材の共通使用と、方立の共通使用を可能にした断熱サッシを提供することにある。
【０００４】
【課題を解決するための手段】
上記目的を達成するために、請求項１の断熱サッシは、サッシ枠は左縦枠材と右縦枠材の間に方立を備え、方立と左右縦枠材の一方との間に、戸を開閉自在に設けた出入口部を備え、方立と左右縦枠材の他方との間に、パネルを固定した袖部を備え、方立を構成する室内側方立部材と、縦枠材を構成する室内側縦部材の袖部側に、パネルの室内面に固定する取付部材を夫々備えている。ここでサッシ枠とは、室内側枠部材と、室外側枠部材と、室内側枠部材と室外側枠部材とを連結する連結材とから構成され、建物の室外側に取付けるものであり、方立とは、室内側方立部材と、室外側方立部材と、室内側方立部材と室外側方立部材とを連結する連結材とから構成され、室内外に温度差が生じても、熱伝導を生じにくいものを言う。ここで戸とは、断熱構造を成し、出入口部を開閉するもので、ドア、障子を含むものであり、パネルとは、断熱構造を成し、袖部に固定するものを言う。
【０００５】
請求項２の断熱サッシは、請求項１の断熱サッシにおいて、方立の室内側方立部材に、出入口部側と袖部側とに向けて突出する方立持出部を設け、サッシ枠を構成する室内側枠部材に、方立持出部に対応する枠部持出部を設け、方立持出部と枠部持出部は、出入口部側に戸の室内面に当接する気密材を、袖部側にパネルの室内面に当接する気密材を備え、袖部側の方立持出部と縦枠部持出部とに取付部材を取付けている。
【０００６】
【発明の実施の形態】
次に本発明による断熱サッシを図１乃至図３の如く左勝手の実施形態に基づき説明すれば、請求項１の断熱サッシは、サッシ枠Ｆが左縦枠材３と右縦枠材４の間に方立５を取付け、方立５と左縦枠材３との間に、戸８を開閉自在に設けた出入口部Ｄを備え、方立５と右縦枠材４との間に、パネル９を固定した袖部Ｅを備え、方立５を構成する室内側方立部材５Ａと、袖部側縦枠材４を構成する室内側縦部材４Ａとの袖部Ｅ側に、パネル９の室内面に固定する取付部材６を夫々備えている。右勝手の断熱サッシであれば、方立５と右縦枠材４との間に、戸８を開閉自在に設けた出入口部Ｄを備え、方立５と左縦枠材３との間に、パネル９を固定した袖部Ｅを備えたものとなる。
【０００７】
サッシ枠Ｆを組立て構成する上枠材１と下枠材２、左縦枠材３と右縦枠材４の夫々は、室内側部材１Ａ，２Ａ，３Ａ，４Ａと、室外側部材１Ｂ，２Ｂ，３Ｂ，４Ｂと、室内側部材１Ａ，２Ａ，３Ａ，４Ａと室外側部材１Ｂ，２Ｂ，３Ｂ，４Ｂとを連結する連結材１Ｃ，２Ｃ，３Ｃ，４Ｃとから構成されている。左縦枠材３と右縦枠材４の間に設ける方立５は、室内側方立部材５Ａと、室外側方立部材５Ｂと、室内側方立部材５Ａと室外側方立部材５Ｂとを連結する連結材５Ｃとから構成されている。取付部材６は図３（ハ）の如く、パネル９に固定する固定部６ａと、室内側方立部材５Ａ、又は袖部側縦枠材４の室内側縦部材４Ａに取付ける取付部６ｂとを備え、固定部６ａは室内側に開口部６ｃを備え、開口部６ｃからパネル９にビスＮを螺入した後、開口部６ｃにキャップ７を嵌合係止して塞ぐものである。
【０００８】
請求項２の断熱サッシは、請求項１の断熱サッシにおいて、方立５を構成する室内側方立部材５Ａに、図３（イ）の如く出入口部Ｄ側と袖部Ｅ側とに向けて突出する方立持出部５ａ，５ｂを設け、図１と図２、及び図３（ロ）の如くサッシ枠Ｆを構成する室内側枠部材１Ａ，２Ａ，３Ａ，４Ａに、方立持出部５ａ，５ｂと同様の枠部持出部１ａ，２ａ，３ａ，４ａを設け、方立持出部５ａ，５ｂと枠部持出部１ａ，２ａ，３ａ，４ａは、出入口部Ｄ側に戸８の室内面に当接する気密材Ｓを備え、袖部Ｅ側にパネル９の室内面に当接する気密材Ｓを備え、方立持出部５ａ，５ｂと縦枠部持出部３ａ，４ｂとの袖部Ｅ側に、パネル９に固定する取付部材６を取付けている。
【０００９】
請求項１又は２の断熱サッシにおいて、図２の如く少なくとも上枠材１を構成する室外側上枠部材１Ｂの内周側に切欠部１１を備えていてもよい。図１の如く左右縦枠材３，４の室外側縦枠部材３Ｂ，４Ｂの内周側にも切欠部１３，１４を備えることも可能である。上枠材１の室外側上部材１Ｂに切欠部１１を備えると、袖部Ｅにパネル９を取付ける場合、先ずパネル９の上部を切欠部１１に入れ、次にパネル９の下部を袖部Ｅに入れ、下枠材２に向けて移行すれば、簡単にパネル９を袖部Ｅに嵌合し得るし、出入口部Ｄに対する戸８の嵌挿時にも、パネル９と同様に簡単に嵌挿し得る。室外側縦枠部材３Ｂ，４Ｂに切欠部１３，１４を備えると、蝶番Ｇによるドアタイプの戸８の取付けが容易になる。
【００１０】
本発明による断熱サッシは上記構造であるから、予め、サッシ枠Ｆを組立て構成し、そのサッシ枠Ｆに、袖部Ｅの左勝手、又は右勝手に応じて方立５を所定の位置に取付けておく。右勝手のサッシ枠Ｆにあっては、施工現場においてサッシ枠Ｆを取付け、上枠材１の切欠部１１を利用して袖部Ｅにパネル９を嵌挿した後、パネル９と方立５の室内側方立部材５Ａに設けた方立持出部５ｂとの間に取付部材６を取付けると共に、パネル９と右縦部材４の室内側縦部材４Ａに設けた縦枠部持出部４ａとの間に取付部材６を取付け、袖部Ｅにパネル９を固定する。左勝手のサッシ枠Ｆにあっては、パネル９と室内側方立部材５Ａに設けた方立持出部５ａとの間に取付部材６を取付けると共に、パネル９と左縦部材３の室内側縦部材３Ａに設けた縦枠部持出部３ａとの間に取付部材６を取付ける。
【００１１】
各枠材１，２，３，４の室内側部材１Ａ，２Ａ，３Ａ，４Ａと、室外側部材１Ｂ，２Ｂ，３Ｂ，４Ｂ、及び方立５の室内側方立部材５Ａと、室外側方立部材５Ｂは、軽金属材、特にアルミニウム合金の押出し成形することが望ましい。各枠材１，２，３，４の連結材１Ｃ，２Ｃ，３Ｃ，４Ｃと方立５の連結材５Ｃ、及び取付部材６は断熱材であり、室内側部材１Ａ，２Ａ，３Ａ，４Ａと室内側方立部材５Ａとを断熱材で成形することも可能である。尚、戸８とパネル９は断熱構造である。キャップ７は弾力性を有する合成樹脂にて形成する。尚、本発明による断熱サッシは上記実施例に限定されるものではなく、例えば袖部Ｅを有する玄関引戸にも応用可能である。
【００１２】
【発明の効果】
本発明による断熱サッシは上記構造のとおりであるから、次に記載する効果を奏する。請求項１の断熱サッシは、左右の縦枠材を共通に使用できるし、方立も左勝手と右勝手に使用できるので、組立てが容易で、しかも安価に提供できる。請求項２の断熱サッシは、出入口部と袖部の気密を向上すると共に、取付部材の取付けを安定する。
【図面の簡単な説明】
【図１】本発明による断熱サッシの構造例を示す横断面図である。
【図２】（イ）（ロ）出入口部と袖部の縦断面図である。
【図３】（イ）（ロ）（ハ）方立と縦枠材と取付部材の平面図である。
【符号の説明】
Ｆ サッシ枠
１ 上枠材
２ 下枠材
３，４ 縦枠材
１Ａ，２Ａ，３Ａ，４Ａ 室内側枠部材
１Ｂ，２Ｂ，３Ｂ，４Ｂ 室外側枠部材
１Ｃ，２Ｃ，３Ｃ，４Ｃ，５Ｃ 連結材
５ 方立、５Ａ 室内側方立部材、５Ｂ 室外側方立部材
１ａ，２ａ，３ａ，４ａ 枠部持出部、５ａ，５ｂ 方立持出部
６ 取付部材
７ キャップ
８ 戸
９ パネル
１１，１３，１４ 切欠部
Ｄ 出入口部
Ｅ 袖部
Ｓ 気密材、Ｎ ビス、Ｇ 蝶番
【手続補正２】
【補正対象書類名】図面
【補正対象項目名】図１
【補正方法】変更
【補正の内容】
【図１】
2000120340.tif 000001